【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
遊技に関する制御を行う遊技機において、
遊技機における第１エラーに関する検知を行う第１エラー検知手段と、
前記第１エラーとは異なる遊技機における第２エラーに関する検知を行う第２エラー検知手段と、
前記第１エラー検知手段によって第１エラーが検知されたことを契機に、該第１エラーに関する第１エラー関連情報を出力することができるとともに、前記第２エラー検知手段によって第２エラーが検知されたことを契機に、該第２エラーに関する第２エラー関連情報を出力することができる出力手段と、
外部装置を接続することができる外部接続手段と、を備え、
前記出力手段と前記外部接続手段は、前記出力手段から前記外部接続手段へ前記第１エラー関連情報を伝送する第１の伝送路と、前記出力手段から前記外部接続手段へ前記第２エラー関連情報を伝送する第２の伝送路と、を含む複数の伝送路で接続されている遊技機。
【請求項２】
前記第１エラー検知手段によって第１エラーが検知されたときには、該第１エラーが検知された第１エラー検知回数と、前記第２エラー検知手段によって第２エラーが検知されたときには、該第２エラーが検知された第２エラー検知回数とを計数するエラー検知回数計数手段と、
前記エラー検知回数計数手段によって計数された第１エラー検知回数と第２エラー検知回数とを記憶するエラー検知回数記憶手段と、
前記エラー検知回数記憶手段に第１エラーが検知された第１エラー検知回数が記憶されているか否かを所定期間毎に判定し、第２エラーが検知された第２エラー検知回数が記憶されているか否かを所定期間毎に判定するエラー検知回数判定手段と、
前記エラー検知回数記憶手段に記憶されているエラー検知回数を更新するエラー検知回数更新手段と、を備え、
前記出力手段は、前記エラー検知回数判定手段によって前記エラー検知回数記憶手段に第１エラーが検知された第１エラー検知回数が記憶されていると判定された場合に、前記第１エラー関連情報を出力し、前記エラー検知回数判定手段によって前記エラー検知回数記憶手段に第２エラーが検知された第２エラー検知回数が記憶されていると判定された場合に、前記第２エラー関連情報を出力し、
前記エラー検知回数更新手段は、前記エラー検知回数記憶手段に記憶されている第１エラー検知回数を、前記出力手段による第１エラー関連情報の出力回数分だけ減算し、前記エラー検知回数記憶手段に記憶されている第２エラー検知回数を、前記出力手段による第２エラー関連情報の出力回数分だけ減算する請求項１に記載の遊技機。
【請求項３】
前記出力手段は、前記第１エラー検知手段によって第１エラーが検知され、かつ、前記第２エラー検知手段によって第２エラーが検知された場合、前記第１エラー関連情報と前記第２エラー関連情報との両方を出力可能である請求項１又は請求項２に記載の遊技機。
【請求項４】
前記第１エラー検知手段によって検知される第１エラーと、前記第２エラー検知手段によって検知される第２エラーとに優先順位が記憶された優先順位記憶手段を備え、
前記第１エラーは、最も優先順位が高く規定されている請求項１〜請求項３のうち何れか一項に記載の遊技機。
【請求項５】
前記第１エラーと前記第２エラーとを少なくとも含む複数種類のエラー毎に優先順位が記憶された優先順位記憶手段と、
前記エラー検知手段によって複数種類のエラーが検知されたときには、該複数種類のエラーの優先順位を判定する優先順位判定手段と、
報知を行う報知手段と、
前記優先順位判定手段によって優先順位が高くないと判定されたエラーに関する報知を行なわせずに、優先順位が高いと判定されたエラーに関する報知を優先して前記報知手段に行わせる制御を行う報知制御手段と、を備えた請求項１〜請求項４のうち何れか一項に記載の遊技機。
【請求項６】
支持枠に開閉可能に支持されているとともに遊技盤を視認可能とする窓口が形成されている前枠を有する遊技機において、
遊技機におけるエラーに関する検知を行うエラー検知手段と、
前記前枠の開放に関する検知を行う開放検知手段と、
前記エラー検知手段によってエラーが検知されたことを契機に、前記エラーに関するエラー関連情報を出力することができるとともに、前記開放検知手段によって前記前枠の開放が検知されたことを契機に前記前枠の開放に関する開放情報を出力することができる出力手段と、
外部装置を接続することができる外部接続手段と、を備え、
前記出力手段と前記外部接続手段は、前記出力手段から前記外部接続手段へ前記エラー関連情報を伝送する第１の伝送路と、前記出力手段から前記外部接続手段へ前記開放情報を伝送する第２の伝送路と、を含む複数の伝送路で接続されている遊技機。
【手続補正２】
【補正対象書類名】明細書
【補正対象項目名】０００７
【補正方法】変更
【補正の内容】
【０００７】
上記問題点を解決するために、請求項１に記載の発明は、遊技に関する制御を行う遊技機において、遊技機における第１エラーに関する検知を行う第１エラー検知手段と、前記第１エラーとは異なる遊技機における第２エラーに関する検知を行う第２エラー検知手段と、前記第１エラー検知手段によって第１エラーが検知されたことを契機に、該第１エラーに関する第１エラー関連情報を出力することができるとともに、前記第２エラー検知手段によって第２エラーが検知されたことを契機に、該第２エラーに関する第２エラー関連情報を出力することができる出力手段と、外部装置を接続することができる外部接続手段と、を備え、前記出力手段と前記外部接続手段は、前記出力手段から前記外部接続手段へ前記第１エラー関連情報を伝送する第１の伝送路と、前記出力手段から前記外部接続手段へ前記第２エラー関連情報を伝送する第２の伝送路と、を含む複数の伝送路で接続されていることを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、前記第１エラー検知手段によって第１エラーが検知されたときには、該第１エラーが検知された第１エラー検知回数と、前記第２エラー検知手段によって第２エラーが検知されたときには、該第２エラーが検知された第２エラー検知回数とを計数するエラー検知回数計数手段と、前記エラー検知回数計数手段によって計数された第１エラー検知回数と第２エラー検知回数とを記憶するエラー検知回数記憶手段と、前記エラー検知回数記憶手段に第１エラーが検知された第１エラー検知回数が記憶されているか否かを所定期間毎に判定し、第２エラーが検知された第２エラー検知回数が記憶されているか否かを所定期間毎に判定するエラー検知回数判定手段と、前記エラー検知回数記憶手段に記憶されているエラー検知回数を更新するエラー検知回数更新手段と、を備え、前記出力手段は、前記エラー検知回数判定手段によって前記エラー検知回数記憶手段に第１エラーが検知された第１エラー検知回数が記憶されていると判定された場合に、前記第１エラー関連情報を出力し、前記エラー検知回数判定手段によって前記エラー検知回数記憶手段に第２エラーが検知された第２エラー検知回数が記憶されていると判定された場合に、前記第２エラー関連情報を出力し、前記エラー検知回数更新手段は、前記エラー検知回数記憶手段に記憶されている第１エラー検知回数を、前記出力手段による第１エラー関連情報の出力回数分だけ減算し、前記エラー検知回数記憶手段に記憶されている第２エラー検知回数を、前記出力手段による第２エラー関連情報の出力回数分だけ減算することを要旨とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項３に記載の発明は、請求項１又は請求項２に記載の遊技機において、前記出力手段は、前記第１エラー検知手段によって第１エラーが検知され、かつ、前記第２エラー検知手段によって第２エラーが検知された場合、前記第１エラー関連情報と前記第２エラー関連情報との両方を出力可能であることを要旨とする。
【手続補正６】
【補正対象書類名】明細書
【補正対象項目名】００１１
【補正方法】変更
【補正の内容】
【００１１】
請求項４に記載の発明は、請求項１〜請求項３のうち何れか一項に記載の遊技機において、前記第１エラー検知手段によって検知される第１エラーと、前記第２エラー検知手段によって検知される第２エラーとに優先順位が記憶された優先順位記憶手段を備え、前記第１エラーは、最も優先順位が高く規定されていることを要旨とする。
【手続補正７】
【補正対象書類名】明細書
【補正対象項目名】００１２
【補正方法】変更
【補正の内容】
【００１２】
請求項５に記載の発明は、請求項１〜請求項４のうち何れか一項に記載の遊技機において、前記第１エラーと前記第２エラーとを少なくとも含む複数種類のエラー毎に優先順位が記憶された優先順位記憶手段と、前記エラー検知手段によって複数種類のエラーが検知されたときには、該複数種類のエラーの優先順位を判定する優先順位判定手段と、報知を行う報知手段と、前記優先順位判定手段によって優先順位が高くないと判定されたエラーに関する報知を行なわせずに、優先順位が高いと判定されたエラーに関する報知を優先して前記報知手段に行わせる制御を行う報知制御手段と、を備えたことを要旨とする。
上記問題点を解決するために、請求項６に記載の発明は、支持枠に開閉可能に支持されているとともに遊技盤を視認可能とする窓口が形成されている前枠を有する遊技機において、遊技機におけるエラーに関する検知を行うエラー検知手段と、前記前枠の開放に関する検知を行う開放検知手段と、前記エラー検知手段によってエラーが検知されたことを契機に、前記エラーに関するエラー関連情報を出力することができるとともに、前記開放検知手段によって前記前枠の開放が検知されたことを契機に前記前枠の開放に関する開放情報を出力することができる出力手段と、外部装置を接続することができる外部接続手段と、を備え、前記出力手段と前記外部接続手段は、前記出力手段から前記外部接続手段へ前記エラー関連情報を伝送する第１の伝送路と、前記出力手段から前記外部接続手段へ前記開放情報を伝送する第２の伝送路と、を含む複数の伝送路で接続されていることを要旨とする。
【手続補正８】
【補正対象書類名】明細書
【補正対象項目名】０２２１
【補正方法】変更
【補正の内容】
【０２２１】
次に、上記実施形態及び別例から把握できる技術的思想を以下に追記する。
（イ）遊技の進行を制御する第１制御手段と、前記第１制御手段から出力される払出制御コマンドに基づいて、遊技球の払出制御を行う第２制御手段と、を備え、前記第１制御手段は、前記入賞検知手段によって遊技球の入賞が検知されたことを契機に、該遊技球の入賞に対応する賞球数を判定する賞球種別判定手段を有する。
【手続補正９】
【補正対象書類名】明細書
【補正対象項目名】０２２２
【補正方法】変更
【補正の内容】
【０２２２】
（ロ）遊技の進行を制御する第１制御手段と、前記第１制御手段から出力される払出制御コマンドに基づいて、遊技球の払出制御を行う第２制御手段と、を備え、前記第２制御手段は、遊技球の貸出制御を指示する貸出指示装置に接続され、前記貸出指示装置から遊技球の貸出制御の指示に基づいて、所定数の遊技球の貸出制御を行う。
【手続補正１０】
【補正対象書類名】明細書
【補正対象項目名】０２２３
【補正方法】変更
【補正の内容】
【０２２３】
（ハ）遊技の進行を制御する第１制御手段と、前記第１制御手段から出力される払出制御コマンドに基づいて、遊技球の払出制御を行う第２制御手段と、を備え、前記第１制御手段は、前記エラー検知回数計数手段と前記エラー検知回数記憶手段と前記エラー検知回数判定手段と前記エラー検知回数更新手段とを有し、前記第２制御手段は、前記出力手段を有し、前記第１制御手段は、前記エラー検知回数判定手段によって前記エラー検知回数記憶手段にエラーが検知されたエラー検知回数が記憶されていると判定された場合に、該エラーの検知を示すエラー検知信号を前記第２制御手段に出力する第２出力手段を有し、前記エラー検知回数更新手段は、前記エラー検知回数判定手段によって前記エラー検知回数記憶手段にエラーが検知されたエラー検知回数が記憶されていると判定された場合に、前記エラー検知回数記憶手段に記憶されているエラー検知回数を、前記第２出力手段によるエラー検知信号の出力回数分だけ減算し、前記出力手段は、前記第２出力手段から出力されたエラー検知信号に基づいて、前記エラー信号を前記外部装置に出力する。